(57)【特許請求の範囲】
【請求項１】
現在キャリアフィルムが繰り出されている第１ロールから次にキャリアフィルムが繰り出される第２ロールに継ぎ合わせることで新旧のロールを切り替える切替工程と、
前記ロールから繰り出された、粘着剤を含む光学フィルムが積層されている帯状のキャリアフィルムを搬送するキャリアフィルム搬送工程と、
光学セルを搬送する光学セル搬送工程と、
前記キャリアフィルム搬送工程により搬送された前記キャリアフィルムを内側にして折り返して当該キャリアフィルムから前記光学フィルムを剥離する剥離工程と、
前記光学セルを搬送しながら、前記剥離工程で前記キャリアフィルムから剥離された前記光学フィルムを前記粘着剤を介して当該光学セルに貼り合せて光学表示パネルを形成する貼合工程と、を含み、
前記切替工程は、
前記現在繰り出されている前記第１ロールが設置される第１繰出部に並設された第２繰出部に、前記次に繰り出される前記第２ロールを前記帯状のキャリアフィルムの搬送方向と平行に移動させて設置する設置工程を含む、光学表示パネルの連続製造方法。
【請求項２】
前記切替工程は、
前記第１繰出部の繰出軸と前記第２繰出部の繰出軸との間にあり、前記第１繰出部の繰出軸および第２繰出部の繰出軸と平行な中心軸を中心として、前記第１繰出部の繰出軸および第２繰出部の繰出軸を回転させて、前記第１ロールの位置と前記第２ロールの位置とを交換し、前記第２繰出部を前記第１繰出部に対して、前記キャリアフィルムの搬送ラインとは反対側に位置させる回転工程を含み、
前記設置工程は、前記第１繰出部と前記第２繰出部とを備える繰出装置に対し、前記キャリアフィルムの搬送ラインとは反対側から、前記第２ロールを前記キャリアフィルムの搬送方向と平行に移動させ、当該第２ロールを前記第２繰出部に設置する、請求項１に記載の光学表示パネルの連続製造方法。
【請求項３】
現在キャリアフィルムが繰り出される第１ロールが設置される第１繰出部と、前記第１繰出部に並設され、次にキャリアフィルムが繰り出される第２ロールが設置される第２繰出部とを備える繰出装置と、
前記第１繰出部に設置される第１ロールから繰り出された、粘着剤を含む光学フィルムが積層されている帯状のキャリアフィルムを搬送するキャリアフィルム搬送部と、
光学セルを搬送する光学セル搬送部と、
前記キャリアフィルム搬送部により搬送された前記キャリアフィルムを内側にして折り返して当該キャリアフィルムから前記光学フィルムを剥離する剥離部と、
前記光学セルを搬送しながら、前記剥離部で前記キャリアフィルムから剥離された前記光学フィルムを前記粘着剤を介して当該光学セルに貼り合せて光学表示パネルを形成する貼合部と、を有し、
前記繰出装置は、前記次にキャリアフィルムが繰り出される前記第２ロールを当該繰り出し方向と平行に移動させて前記第２繰出部に設置することが可能な構造を有する、光学表示パネルの連続製造システム。
【請求項４】
前記繰出装置は、
前記第１繰出部の繰出軸と前記第２繰出部の繰出軸との間にあり、前記第１繰出部の繰出軸および第２繰出部の繰出軸と平行な中心軸を中心として、前記第１繰出部の繰出軸および第２繰出部の繰出軸を回転させて、前記第１ロールの位置と前記第２ロールの位置とを交換し、前記第２繰出部を前記第１繰出部に対して、前記キャリアフィルムの搬送ラインとは反対側に位置させる回転機構を有し、かつ前記繰出装置に対し、前記キャリアフィルムの搬送部とは反対側から、前記第２ロールを前記キャリアフィルムの搬送方向と平行に移動させて、当該第２ロールを前記第２繰出部に設置することが可能な構造を有する、請求項３に記載の光学表示パネルの連続製造システム。
【請求項５】
現在フィルムが繰り出されている第１ロールから次にフィルムが繰り出される第２ロールに継ぎ合わせることで新旧のロールを切り替える切替方法であって、
前記現在繰り出されている前記第１ロールが設置される第１繰出部に並設された第２繰出部に、前記次にフィルムが繰り出される前記第２ロールを前記フィルムの搬送方向と平行に移動させて設置する設置工程を含む、切替方法。
【請求項６】
現在フィルムが繰り出されている第１ロールが設置される第１繰出部と、前記第１繰出部に並設され、次にフィルムが繰り出される第２ロールが設置される第２繰出部とを備える繰出装置であって、
前記次にフィルムが繰り出される前記第２ロールを前記フィルムの搬送方向と平行に移動させて前記第２繰出部に設置することが可能な構造を有する、繰出装置。
【発明の詳細な説明】
【技術分野】
【０００１】
本発明は、現在繰り出されている第１ロールから次に繰り出される第２ロールに継ぎ合わせることで新旧のロールを切り替える切替工程を有する光学表示パネルの連続製造方法および光学表示パネルの連続製造システムに関する。また、上記ロールを切り替えるための切替方法、上記ロールを繰り出すための繰出装置に関する。
【背景技術】
【０００２】
光学セルを連続して供給し、ロールから偏光フィルムを連続して供給し、光学セルに偏光フィルムを連続して貼り合せることで、光学表示パネルを高速連続生産する製造システムが知られている。このシステムでは、ロールから偏光フィルムを連続して供給するには、次のロールとの継ぎ合わせが必要である。従来から、ロールを２つ設置して、一方のロールのフィルム残量が少なくなった場合に他方のロールのフィルムを連結させて、偏光フィルムを連続供給可能にした装置が開示されている（例えば、特許文献１、２参照）。
【先行技術文献】
【特許文献】
【０００３】
【特許文献１】特開２０１１−１２３２０８号
【特許文献２】特開２０１１−１５４３４０号
【発明の概要】
【発明が解決しようとする課題】
【０００４】
しかしながら、特許文献１、２では、ロールを繰出軸に設置する際に、繰出軸の軸方向（幅方向）に平行にロールを移動させて、ロールを繰出軸に設置する。すなわち、フィルム搬送方向と直交する方向（幅方向）からロールを移動させて繰出軸に設置する。そのため、この繰出部の設置スペース以外にも、幅方向にロールを設置するための作業スペースが必要であり、結果的にシステム全体の占有スペースが増大していた。
【０００５】
本発明は、上記の課題に鑑みてなされたものであって、システム全体の占有スペースを小さくできる光学表示パネルの連続製造方法および光学表示パネルの連続製造システムを提供する。また、占有スペースを小さくできる切替方法および繰出装置を提供する。
【課題を解決するための手段】
【０００６】
上記課題を解決するために、鋭意研究を重ねた結果、以下の本発明を完成するに至ったものである。すなわち、本発明の光学表示パネルの連続製造方法は、
現在キャリアフィルムが繰り出されている第１ロールから次にキャリアフィルムが繰り出される第２ロールに継ぎ合わせることで新旧のロールを切り替える切替工程と、
前記ロールから繰り出された、粘着剤を含む光学フィルムが積層されている帯状のキャリアフィルムを搬送するキャリアフィルム搬送工程と、
光学セルを搬送する光学セル搬送工程と、
前記キャリアフィルム搬送工程により搬送された前記キャリアフィルムを内側にして折り返して当該キャリアフィルムから前記光学フィルムを剥離する剥離工程と、
前記光学セルを搬送しながら、前記剥離工程で前記キャリアフィルムから剥離された前記光学フィルムを前記粘着剤を介して当該光学セルに貼り合せて光学表示パネルを形成する貼合工程と、を含み、
前記切替工程は、
前記現在繰り出されている前記第１ロールが設置される第１繰出部に並設された第２繰出部に、前記次に繰り出される前記第２ロールを前記帯状のキャリアフィルムの搬送方向と平行に移動させて設置する設置工程を含む。
【０００７】
この構成によれば、新しいロールを繰出部に設置するための作業スペースを繰出部の幅方向に設ける必要がないため、システム全体の占有スペースを小さくできる。
【０００８】
上記発明の一実施形態として、前記切替工程は、
前記第１繰出部の繰出軸と前記第２繰出部の繰出軸との間にあり、前記第１繰出部の繰出軸および第２繰出部の繰出軸と平行な中心軸を中心として、前記第１繰出部の繰出軸および第２繰出部の繰出軸を回転させて、前記第１ロールの位置と前記第２ロールの位置とを交換し、前記第２繰出部を前記第１繰出部に対して、前記キャリアフィルムの搬送ラインとは反対側に位置させる回転工程を含み、
前記設置工程は、前記第１繰出部と前記第２繰出部とを備える繰出装置に対し、前記キャリアフィルムの搬送ラインとは反対側から、前記第２ロールを前記キャリアフィルムの搬送方向と平行に移動させ、当該第２ロールを前記第２繰出部の繰出軸に設置する。
【０００９】
この構成によれば、第１ロールの位置と前記第２ロールの位置とを交換できるため、繰出装置（第１繰出部および第２繰出部）に対して、キャリアフィルムの搬送ラインとは反対側の位置で新旧ロールを切り替えることができる。その結果、繰出部とキャリアフィルムの搬送ライン（特にフィルムを上下方向に搬送するライン）との間に新しいロールを移動させるためのスペースや、移動させたロールを繰出軸に設置するための作業スペースを設ける必要がないため、システム全体の占有スペースを大幅に削減することができる。
【００１０】
他の発明の光学表示パネルの連続製造システムは、
現在キャリアフィルムが繰り出される第１ロールが設置される第１繰出部と、前記第１繰出部に並設され、次にキャリアフィルムが繰り出される第２ロールが設置される第２繰出部とを備える繰出装置と、
前記第１繰出部に設置される第１ロールから繰り出された、粘着剤を含む光学フィルムが積層されている帯状のキャリアフィルムを搬送するキャリアフィルム搬送部と、
光学セルを搬送する光学セル搬送部と、
前記キャリアフィルム搬送部により搬送された前記キャリアフィルムを内側にして折り返して当該キャリアフィルムから前記光学フィルムを剥離する剥離部と、
前記光学セルを搬送しながら、前記剥離部で前記キャリアフィルムから剥離された前記光学フィルムを前記粘着剤を介して当該光学セルに貼り合せて光学表示パネルを形成する貼合部と、を有し、
前記繰出装置は、前記次にキャリアフィルムが繰り出される前記第２ロールを当該繰り出し方向と平行に移動させて前記第２繰出部に設置することが可能な構造を有する。
【００１１】
この構成によれば、新しいロールを繰出部に設置するための作業スペースを繰出部の幅方向に設ける必要がないため、システム全体の占有スペースを小さくできる。
【００１２】
上記発明の一実施形態として、前記繰出装置は、
前記第１繰出部の繰出軸と前記第２繰出部の繰出軸との間にあり、前記第１繰出部の繰出軸および第２繰出部の繰出軸と平行な中心軸を中心として、前記第１繰出部の繰出軸および第２繰出部の繰出軸を回転させて、前記第１ロールの位置と前記第２ロールの位置とを交換し、前記第２繰出部を前記第１繰出部に対して、前記キャリアフィルムの搬送ラインとは反対側に位置させる回転機構を有し、かつ前記繰出装置に対し、前記キャリアフィルムの搬送部とは反対側から、前記第２ロールを前記キャリアフィルムの搬送方向と平行に移動させて、当該第２ロールを前記第２繰出部に設置することが可能な構造を有する。
【００１３】
この構成によれば、第１ロールの位置と前記第２ロールの位置とを交換できるため、繰出装置（第１繰出部および第２繰出部）に対して、キャリアフィルムの搬送ラインとは反対側の位置で新旧ロールを切り替えることができる。その結果、繰出部とキャリアフィルムの搬送ライン（特にフィルムを上下方向に搬送するライン）との間に新しいロールを移動させるためのスペースや、移動させたロールを繰出軸に設置するための作業スペースを設ける必要がないため、システム全体の占有スペースを大幅に削減することができる。
【００１４】
上記発明の一実施形態として、前記第１繰出部と前記第２繰出部が、前記光学セルを搬送する搬送ラインの下に重畳配置される構成がある。
【００１５】
この構成では、光学セルの搬送ラインの下に第１繰出部（第１ロール）と第２繰出部（第２ロール）とを設置するため、製造システム全体の長さ（寸法）を短くできる。
【００１６】
上記発明の一実施形態として、前記切替工程は、
前記設置工程の後に、前記第１繰出部の繰出軸の回転を停止する停止工程と、
前記停止工程で停止した状態の前記キャリアフィルムを保持しながら切断する切断工程と、
前記第１繰出部の繰出軸と前記第２繰出部の繰出軸とを結んだラインの中心を回転させて、前記第１ロールの位置と前記第２ロールの位置とを交換する回転工程と、
前記切断工程で切断後に保持された状態のキャリアフィルム後端部と前記第２ロールのキャリアフィルムの前端部とを継ぎ合わせる継合工程と、
前記継合工程の後に、前記帯状キャリアフィルムの保持状態を解除する解除工程と、を含む。
【００１７】
他の発明は、現在フィルムが繰り出されている第１ロールから次にフィルムが繰り出される第２ロールに継ぎ合わせることで新旧のロールを切り替える切替方法であって、
前記現在繰り出されている前記第１ロールが設置される第１繰出部に並設された第２繰出部に、前記次にフィルムが繰り出される前記第２ロールを前記フィルムの搬送方向と平行に移動させて設置する設置工程を含む。
【００１８】
本発明の切替方法は、上述した本発明の光学表示パネルの連続製造方法のほか、例えば、ロールから繰り出された帯状の光学フィルム（或いは積層光学フィルム）を切断して複数の枚葉の光学フィルム（或いは積層光学フィルム）を製造する方法、ロールから繰り出された帯状のフィルムを塗工、延伸などの処理に供して帯状の光学フィルムを製造する方法等にも適用することができる。
【００１９】
上記発明の一実施形態において、前記切替方法は、
前記第１繰出軸と前記第２繰出軸との間にあり、前記第１繰出軸および第２繰出軸と平行な中心軸を中心として、前記第１繰出軸および第２繰出軸を回転させて、前記第１ロールの位置と前記第２ロールの位置とを交換し、前記第２繰出部を前記第１繰出部に対して、前記フィルムの搬送ラインとは反対側に位置させる回転工程を含む。
【００２０】
また、他の発明は、現在フィルムが繰り出されている第１ロールが設置される第１繰出部と、前記第１繰出部に並設され、次にフィルムが繰り出される第２ロールが設置される第２繰出部とを備える繰出装置であって、
前記次にフィルムが繰り出される前記第２ロールを前記フィルムの搬送方向と平行に移動させて前記第２繰出部に設置することが可能な構造を有する。
【００２１】
上記発明の一実施形態において、前記繰出装置は、
前記第１繰出軸と前記第２繰出軸との間にあり、前記第１繰出軸および第２繰出軸と平行な中心軸を中心として、前記第１繰出軸および第２繰出軸を回転させて、前記第１ロールの位置と前記第２ロールの位置とを交換し、前記第２繰出部を前記第１繰出部に対して、前記フィルムの搬送ラインとは反対側に位置させる回転機構を有する。
【００２２】
本発明の繰出装置は、上述した本発明の光学表示パネルの連続製造システムのほか、例えば、ロールから繰り出された帯状の光学フィルム（或いは積層光学フィルム）を切断して複数の枚葉の光学フィルム（或いは積層光学フィルム）を製造するシステム、ロールから繰り出された帯状のフィルムを塗工、延伸などの処理に供して帯状の光学フィルムを製造するシステム等にも適用することができる。
【図面の簡単な説明】
【００２３】
【図１】実施形態１の光学表示パネルの連続製造システムを示した概略図。
【図２】実施形態１の繰出装置を示す概略図。
【図３Ａ】実施形態１の設置工程を示す図。
【図３Ｂ】実施形態２の設置工程を示す図。
【図４Ａ】切替工程の手順例を示す図。
【図４Ｂ】切替工程の手順例を示す図。
【図４Ｃ】切替工程の手順例を示す図。
【図４Ｄ】切替工程の手順例を示す図。
【図４Ｅ】切替工程の手順例を示す図。
【発明を実施するための形態】
【００２４】
本実施形態において、光学フィルムがキャリアフィルムに形成されている形態は特に制限されない。例えば、ロール状に巻かれたもので構成されていてもよい。ロールとしては、例えば、（１）キャリアフィルムと当該キャリアフィルム上に粘着剤を介して形成された帯状の光学フィルムとを有する積層光学フィルムをロール状に巻いたものが挙げられる。この場合、光学表示パネルの連続製造システムは、帯状の光学フィルムから光学フィルムを形成するために、キャリアフィルムを切断せずに残して、当該帯状の光学フィルムおよび粘着剤を所定間隔に切断（積層光学フィルムをハーフカット）する切断部を有する。帯状の光学フィルムを切断した後の光学フィルムは、所定サイズの枚葉状態であり、例えば、矩形形状（長方形、正方形）である。
【００２５】
また、ロールとして、例えば、（２）キャリアフィルムと当該キャリアフィルム上に粘着剤を介して形成された帯状の第１光学フィルムとを有する積層光学フィルムをロール状に巻いたもの（いわゆる切り目入り積層光学フィルムのロール）が挙げられる。なお、光学フィルムとしては、偏光子フィルム、輝度向上フィルム、位相差フィルム、これらを２つ以上積層した光学フィルム等が挙げられる。
【００２６】
例えば、図１に示す第１ロールＲ１は、第１キャリアフィルム１２と、第１キャリアフィルム１２に積層された帯状の第１偏光フィルム（光学フィルムの一例）１１を有する第１積層光学フィルム１０をロール状に巻いたものである。第１偏光フィルム１１はフィルム本体１１ａと粘着剤層１１ｂとを有する。  
【００２７】
偏光フィルムは、例えば、偏光子フィルム（厚さは１．５〜８０μｍ程度）と、偏光子フィルムの片面または両面に偏光子保護フィルム（厚さは一般的に１〜５００μｍ程度）が接着剤または接着剤なしで形成される。第１積層光学フィルム１１を構成する他のフィルムとして、例えば、λ／４板、λ／２板等の位相差フィルム（厚さは一般的に１０〜２００μｍ）、視角補償フィルム、輝度向上フィルム、表面保護フィルム等が挙げられる。積層光学フィルムの厚みは、例えば、１０μｍ〜５００μｍの範囲が挙げられる。偏光フィルムとキャリアフィルムとの間に介在する粘着剤は、特に制限されず、例えば、アクリル系粘着剤、シリコーン系粘着剤、ウレタン系粘着剤等が挙げられる。粘着剤の層厚みは、例えば、１０μｍ〜５０μｍの範囲が好ましい。粘着剤とキャリアフィルムとの剥離力としては、例えば、０．１５（Ｎ／５０ｍｍ幅サンプル）が例示されるが、特にこれに限定されない。剥離力は、ＪＩＳ  Ｚ０２３７に準じて測定される。  
【００２８】
キャリアフィルムは、例えばプラスチックフィルム（例えば、ポリエチレンテレフタレート系フィルム、ポリオレフィン系フィルム等）等の従来公知のフィルムを用いることができる。また、必要に応じシリコーン系や長鎖アルキル系、フッ素系や硫化モリブデン等の適宜な剥離剤でコート処理したものなどの、従来に準じた適宜なものを用いうる。  
【００２９】
光学表示パネルは、光学セルの片面または両面に少なくとも光学フィルムが粘着剤を介して貼り合わされたものであり、必要に応じて駆動回路が組込まれる。光学セルは、例えば、液晶セル、有機ＥＬセルが挙げられる。液晶セルは、例えば、垂直配向（ＶＡ）型、面内スイッチング（ＩＰＳ）型などの任意なタイプのものを用いることができる。有機ＥＬセルは、例えば、トップエミッション方式、ボトムエミッション方式、ダブルエミッション方式などの任意のタイプのものを用いることができる。図１に示す液晶セルＰは、対向配置される一対の基板（第１基板Ｐａ、第２基板Ｐｂ）間に液晶層が封止された構成である。
【００３０】
＜実施形態１＞
以下、図面を参照しながら、本実施形態に係る光学表示パネルの連続製造システムを具体的に説明するが、本発明は本実施形態の態様に限定されるものではない。光学セルとして液晶セルを、光学フィルムとして偏光フィルムを例に説明する。以下では、図１は本実施形態の光学表示パネルの連続製造システムの概略図である。図１において、繰出装置３０は、液晶セル搬送部８０による液晶セルを搬送する搬送ラインＸより下に配置された構成である。図２は繰出装置を説明するための図である。図３Ａは、設置工程における第２ロールＲ２の移動方向（Ｚ）を示す図である。図４Ａ〜４Ｅは、切替工程（処理）の手順を説明するための図である。
【００３１】
本実施形態に係る光学表示パネルの連続製造システム１は、繰出装置３０、第１キャリアフィルム搬送部２０と、第１剥離部４０と、液晶セル搬送部８０と、第１貼合部５０（第１貼合ロール５０ａ、第１駆動ロール５０ｂ）と、第２液晶セル搬送部と、第２キャリアフィルム搬送部と、第２剥離部と、第２貼合部（第２貼合ロール、第２駆動ロール）と、光学表示パネル搬送部とを有する。本実施形態では、液晶セルＰの下側（第１面Ｐａ）から偏光フィルム１１１を貼り合せて、次いで、偏光フィルム１１１を貼り合せた液晶表示パネルＬＤを反転（裏表反転、必要に応じて９０°回転）させて、当該液晶セルＰの下側（第２面Ｐｂ）から偏光フィルムを貼り合せる。
【００３２】
液晶セル搬送部８０は、搬送上流から液晶セルＰを第１貼合部５０の貼合位置へ搬送する。本実施形態では、液晶セル搬送部８０は、搬送ローラまたは吸着プレート等を有して構成される。搬送ローラを回転させることで、あるいは吸着プレートを移送させることで、液晶セルＰを製造ライン下流側へ搬送する。
【００３３】
繰出装置３０は、第１ロールＲ１が設置される第１繰出部３３と、第１繰出部３３に並設され、第２ロールＲ２が設置される第２繰出部３４とを備える（図２参照）。本実施形態の繰出装置３０は、第１繰出部３３の繰出軸ａ１と第２繰出部３４の繰出軸ａ２との間にあり、第１繰出部３３の繰出軸ａ１および第２繰出部３４の繰出軸ａ２と平行な中心軸３１ａを中心として、第１繰出部３３の繰出軸ａ１および第２繰出部３４の繰出軸ａ２を回転させて、第１ロールＲ１の位置（ａ１の位置に相当する）と第２ロールＲ２の位置（ａ２の位置に相当する）とを交換し、第２繰出部３４を第１繰出部３３に対して、キャリアフィルムの搬送ラインとは反対側に位置させる回転機構３１を有する。図２において、この回転時における、繰出軸ａ１、ａ２の回転軌跡をＤ１として示し、第１ロールＲ１と第２ロールＲ２の最外回転軌跡をＤ２として示す。図１において、繰出装置３０は、液晶セル搬送部８０による液晶セルを搬送する搬送ラインＸの下に配置（重畳配置）された構成である。繰出装置３０から第１貼合部５０までの装置長さをＬで示し、繰出装置３０の下端から搬送ラインＸまでの装置高さをＨで示す。実施形態１では、装置長さＬを短く、装置高さＨを高くしている。
【００３４】
第１キャリアフィルム搬送部２０は、第１繰出部３３、または第２繰出部３４に設置される第１、第２ロールＲ１、Ｒ２から繰り出された、帯状の偏光フィルム１１が積層されている帯状の第１キャリアフィルム１２を搬送する（積層光学フィルム１０を搬送する）。本実施形態では、第１キャリアフィルム搬送部２０は、第１ロールＲ１から繰り出された、第１積層光学フィルム１０の内、帯状の第１キャリアフィルム１２を残して（切断せずに）帯状の第１偏光フィルム１１を所定間隔で切断し、枚葉の第１偏光フィルム１１１を第１キャリアフィルム１２上に形成するための第１切断部２５を有する。第１偏光フィルム１１１は後述する第１剥離部４０で第１キャリアフィルム１２から剥離されて第１貼合部５０に供給される。そのために、第１キャリアフィルム搬送部２０は、繰出装置３０と第１切断部２５との間に配置された第１ダンサロール２２と、第１切断部２５と、第１切断部２５の搬送下流側に配置された第２ダンサロール２４と、第１巻取部２８をさらに有する。なお、第１キャリアフィルム搬送部２０は、第１剥離部４０よりも搬送上流側または搬送下流側に第１キャリアフィルム１２（第１積層光学フィルム１０）を搬送するフィードロール（２９ａ、２９ｂ）を有していてもよい。
【００３５】
第１ダンサロール２２は、第１ロールＲ１から第２ロールＲ２へ切替処理を実行する際に、蓄積しておいた第１キャリアフィルム１２を繰り出すことで第１キャリアフィルム１２の搬送が停止しないようにするために設置される。
【００３６】
第１切断部２５は、吸着部２６で第１キャリアフィルム１２側から第１積層光学フィルム１０を固定しながら、帯状の第１偏光フィルム１１を液晶セルＰに対応する大きさに切断し、第１キャリアフィルム１２上に第１偏光フィルム１１１を形成する。第１切断部２５としては、例えばカッター、レーザ装置などが挙げられる。
【００３７】
第２ダンサロール２４は、搬送過程、貼合過程などの各過程において、第１キャリアフィルム１２の張力を保持する機能を持つ。第１キャリアフィルム搬送部２０は、第２ダンサロール２４を介して第１キャリアフィルム１２を搬送する。第２ダンサロール２４と第１切断部２５との間にフィードロール２７が配置される。
【００３８】
第１剥離部４０は、第１キャリアフィルム搬送部２０により搬送された第１キャリアフィルム１２を内側にして折り返して第１キャリアフィルム１２から第１偏光フィルム１１１を剥離する。剥離された第１偏光フィルム１１１は、第１貼合部５０の貼合位置へ送り出される。本実施形態では、第１剥離部４０としては、先端に先鋭ナイフエッジ部を用いているが、ローラ部などであっても良く、これに限定されるものではない。
【００３９】
第１巻取部２８は、巻取ローラ（不図示）を有し、第１偏光フィルム１１１が剥離された第１キャリアフィルム１２を巻取ローラに巻き取る。
【００４０】
第１貼合部５０は、液晶セルＰを搬送しながら、第１キャリアフィルム１２から剥離された第１偏光フィルム１１１を粘着剤を介して液晶セルＰ（第１面Ｐａ）に貼り合せて液晶表示パネルＬＤを形成する。本実施形態では、第１貼合部５０は、第１貼合ローラ５０ａ、第１駆動ローラ（受けローラ）５０ｂで構成される。
【００４１】
第１巻取部２８による第１キャリアフィルム１２の巻き取りで（または、フィードローラ２９によって）第１偏光フィルム１１１が貼合位置に送り込まれる。一方、第１駆動ローラ５０ｂおよび第１貼合ローラ５０ａの回転によって液晶セルＰが搬送され、この搬送と同時に第１偏光フィルム１１１が液晶セル面に貼り合せられる。
【００４２】
＜切替工程＞
次に切替工程について説明する。まず、繰出装置３０の第１繰出部３３には、第１ロールＲ１が設置され、製造に提供されている。第１ロールＲ１が使用され、その残存量が少なくなってきた際に、繰出装置３０に第２ロールＲ２を設置する。図３Ａの設置（工程）では、繰出装置３０に対し、第１キャリアフィルム１２の搬送ラインとは反対側から、第２ロールＲ２を第１キャリアフィルム１２の搬送方向Ｙと平行に移動（移動方向Ｚ）させ、第２ロールＲ２を第２繰出部３４に設置する。
【００４３】
切替工程について図４Ａから図４Ｅを用いて説明する。連続製造システム１は、繰出装置３０より搬送下流側に配置され、停止した状態の第１キャリアフィルム１２（第１積層光学フィルム１０）を保持する保持部３６と、保持部３６より搬送下流側に配置され、第１キャリアフィルム１２（光学フィルム積層体１０）を挟持するニップロール部３８を有する。
【００４４】
まず、上記設置工程の後に、第１繰出部３３の繰出軸ａ１の回転を停止する（停止工程）。そして、ニップロール部３８で第１積層光学フィルム１０を非回転状態でニップし、次いで、図４Ａに示すように、一対の第１、第２吸着プレート３６ａ、３６ｂを有する保持部３６で、第１積層光学フィルム１０の一方面を吸着保持する。原位置にある第１、第２吸着プレート３６ａ、３６ｂが第１積層光学フィルム１０の一方面を吸着する位置へ動く。次いで、停止工程で停止した状態の第１キャリアフィルム１２（第１積層光学フィルム１０）を吸着した状態で、第１、第２吸着プレート３６ａ、３６ｂの隙間部分の第１キャリアフィルム１２を切断する（切断工程）。図４Ｂに示すように、切断された一方の第１積層光学フィルム１０の第１切断フィルム部Ｂが第１吸着プレート３６ａで吸着され、その他方の第２切断フィルム部Ｃが第２吸着プレート３６ｂで吸着された状態である。次いで、第２切断フィルム部Ｃが第２吸着プレート３６ｂが取り除かれ、第１繰出部３３の繰出軸ａ１と第２繰出部３４の繰出軸ａ２との間にありかつ繰出軸ａ１および繰出軸ａ２と平行な中心軸３１ａを中心に回転させて、第１ロールＲ１の位置（ａ１）と第２ロールＲ２の位置（ａ２）とを交換する（回転工程、図４Ｃ）。ここでの回転は、手動でもよく、不図示のモータによる自動回転でもよい。
【００４５】
次いで、切断工程で切断された第１積層光学フィルム１０の第１切断フィルム部Ｂと第２ロールＲ２の積層光学フィルムの前端部Ｆとを継ぎ合わせる（継合工程）。第２ロールＲ２から前端部Ｆを繰り出し、第１切断フィルム部Ｂと前端部Ｆとの端面同士が対向するように、前端部Ｆを第２吸着プレート３６ｂに吸着させる。図４Ｄに示すように、第１切断フィルム部Ｂ（先端を破線で示す）と前端部Ｆ（破線で示す）とにテープＴを貼り、両者を継ぎ合わせる。次に、継合工程の後に、第１積層光学フィルム１０（帯状の第１キャリアフィルム１２）の保持状態を解除する（解除工程）。図４Ｅに示すように、第１、第２吸着プレート３６ａ、３６ｂを原位置に戻す。これにより、ニップロール部３８の回転によるフィルム搬送が可能になる。これによって、第１積層光学フィルム１０と継がれた第２ロールＲ２の積層光学フィルムが下流側へ搬送される。なお、第１ロールＲ１は繰出軸ａ１から取り外される。
【００４６】
次いで、液晶セルＰの他方面（第２面Ｐｂ）に偏光フィルムを貼り合せる場合について説明する。第２液晶セル搬送部は、第１貼合部５０により第１偏光フィルム１１１が貼り合せられた液晶セルＰを搬送して第２貼合部に供給する。第２液晶セル搬送部には、第１偏光フィルム１１１が貼り合せられた液晶セルＰを反転（裏表反転、必要に応じて９０°回転）させる反転機構（不図示）が備えられている。なお、別実施形態として、第１偏光フィルム１１１が貼り合せられた液晶セルＰを９０°水平回転させる回転機構（不図示）が備えられていてもよい。かかる場合、第２偏光フィルムが液晶セルＰの天井側面に貼り合される。
【００４７】
前述したように、液晶セルＰの他方面に偏光フィルムを貼り合せるための各種手段は、上記で説明した各種手段、装置等を用いることができる。第２キャリアフィルム搬送部は、第１キャリアフィルム搬送部と同様の装置で構成でき、第２貼合部は、第１貼合部と同様の装置で構成できる。第２剥離部は第１剥離部と同様に構成できる。
【００４８】
液晶表示パネル搬送部（不図示）は、搬送ローラや吸着プレート等で構成でき、第２貼合部により作製された液晶表示パネルＬＤを下流へ搬送する。また、搬送下流側に、液晶表示パネルＬＤを検査するための検査装置が設置されていてもよい。この検査装置の検査目的、検査方法は特に制限されない。
【００４９】
＜実施形態２＞
図３Ｂに示すように、実施形態２の繰出装置は回転機構３１を備えていない。第１ロールＲ１の残量が少なくなった際に、繰出装置３０に対し、第１キャリアフィルム１２の搬送ラインとは反対側から第２ロールＲ２を第１キャリアフィルム１２の搬送方向Ｙと平行に移動させ、第２繰出部に設置する。次いで、第１ロールＲ１のフィルムが掛け渡されたロール３８１に向かって第２ロールＲ２からフィルムを繰り出し、そのフィルム先端部とロール３８１に掛け渡されているフィルムとを継ぎ合わせて、第１ロールＲ１のフィルムと第２ロールＲ２のフィルムとを継ぎ合わせる。次いで、第１ロールＲ１のフィルムを切断する。なお、実施形態と同様に一対のバー３６ａ、３６ｂを有する保持部３６を用いて継ぎ合わせを行ってもよい。
【００５０】
また、第２ロールＲ２の残量が少なくなった際に、繰出装置３０に対し、第１キャリアフィルム１２の搬送ライン側から、第１ロールＲ１を第２キャリアフィルムの搬送方向Ｙと平行に移動させて、第１繰出部に設置する。第１繰出軸は、不図示の回転架台に設置されており、フィルム繰り出し方向に自由回転する。なお、第２ロールＲ２のフィルムから第１ロールＲ１のフィルムへ切り替える方法は、上記方法と同様である。
【００５１】
（連続製造方法）
本実施形態に係る光学表示パネルの連続製造方法は、現在第１キャリアフィルムが繰り出され繰り出されている第１ロールＲ１から次にキャリアフィルムが繰り出される第２ロールＲ２に継ぎ合わせることで新旧のロールを切り替える切替工程と、ロールＲ１、Ｒ２から繰り出された、粘着剤を含む光学フィルムが積層されている帯状の第１キャリアフィルム１２を搬送するキャリアフィルム搬送工程と、液晶セルＰを搬送する液晶セル搬送工程と、キャリアフィルム搬送工程により搬送された第１キャリアフィルムを内側にして折り返して第１キャリアフィルムから第１偏光フィルム１１１を剥離する剥離工程と、液晶セルＰを搬送しながら、剥離工程で第１キャリアフィルム１２から剥離された偏光フィルム１１１を粘着剤を介して当該液晶セルＰに貼り合せて液晶表示パネルＬＤを形成する貼合工程とを含む。
【００５２】
切替工程は、現在繰り出されている第１ロールＲ１が設置される第１繰出部３３に並設された第２繰出部３４に、次に繰り出される第２ロールＲ２を第１キャリアフィルムの搬送方向Ｙと平行に移動させて設置する設置工程を含む。設置工程は、第１キャリアフィルム１２の搬送ラインとは反対側から、第２ロールＲ２を第１キャリアフィルム１２の搬送方向Ｙと平行に移動させ、第２ロールＲ２を第２繰出部３４の繰出軸ａ２に設置する。
【００５３】
切替工程は、第１繰出部３３の繰出軸ａ１と第２繰出部３４の繰出軸ａ２との間にあり、第１繰出部３３の繰出軸ａ１および第２繰出部３４の繰出軸ａ２と平行な中心軸３１ａを中心として、第１繰出部３３の繰出軸ａ１および第２繰出部３４の繰出軸ａ２を回転させて、第１ロールＲ１の位置（ａ１）と第２ロールＲ２の位置（ａ２）とを交換し、第２繰出部３４を第１繰出部３３に対して、第１キャリアフィルム１２の搬送ラインとは反対側に位置させる回転工程を含む。
【００５４】
また、液晶セルＰの他方基板にも偏光フィルム１１１を貼り合せる場合には、液晶セルＰの回転および上下反転させる旋回工程を有する。旋回工程は、第１偏光フィルム１１１が貼り合せられた液晶セルＰを９０°水平回転および上下反転させる工程である。なお、旋回工程として、液晶セルＰの長辺と短辺の位置関係が逆転するように、長辺及び短辺のいずれとも平行でない１軸を中心に液晶セルＰを反転させてもよい。そして、第２偏光フィルムを貼り合せる第２貼合工程は、上記の第１貼合工程と同様である。すなわち、第１貼合工程において、第１貼合方向で、第１偏光フィルムを液晶セルの第１面に貼り合せ、第２貼合工程において、第１貼合方向と直交する方向である第２貼合方向で、第２偏光フィルムを液晶セルの第２面に貼り合せる。
【００５５】
＜別実施形態＞
上記実施形態では、ロールから繰り出された積層光学フィルムを所定間隔で切断（ハーフカット）するものであったが、本発明はとくにこの構成に制限されない。例えば、ロールから繰り出された積層光学フィルムを欠点検査し、当該検査結果に基づいて欠点を避けるように切断（いわゆるスキップカット）してもよい。また、積層光学フィルムに予め（ロールにする前に）付された欠点情報を読み取り、当該欠点情報に基づいて欠点を避けるように切断してもよい。欠点情報は、欠点位置がわかるようにマーキングしたものでもよい。
【００５６】
また、第１ロールの帯状の偏光フィルムは予め切断されており第１キャリアフィルム上に形成されていてもよい。すなわち、第１ロールとして、いわゆる切り目入り積層光学フィルムのロールを用いてもよい。第２ロールも第１ロールと同様に切り目入り積層光学フィルムのロールであってもよい。
【００５７】
また、上記実施形態では、光学フィルムの両面に光学フィルムを貼り合せていたが、光学セルの片面にのみ光学フィルムを貼り合せるものであってもよい。
【符号の説明】
【００５８】
１０              第１積層光学フィルム
１２              帯状の第１キャリアフィルム
１１              帯状の第１偏光フィルム
１１１            第１偏光フィルム
２０              第１キャリアフィルム搬送部
３０              繰出装置
３１              回転機構
４０              第１剥離部
５０              第１貼合部
８０              第１液晶セル搬送部
Ｐ                液晶セル
ＬＤ              液晶表示パネル
【図１】
0005969247.tif 000002
【図２】
0005969247.tif 000003
【図３Ａ】
0005969247.tif 000004
【図３Ｂ】
0005969247.tif 000005
【図４Ａ】
0005969247.tif 000006
【図４Ｂ】
0005969247.tif 000007
【図４Ｃ】
0005969247.tif 000008
【図４Ｄ】
0005969247.tif 000009
【図４Ｅ】
0005969247.tif 000010